(57)【要約】【課題】両手が塞がっているような場合であっても、利用しやすい情報処理装置及び情報処理システムを提供する。【解決手段】情報処理装置１０は、利用者２０の胸部２１に相当する位置（男性用トイレの小便器４０の上部）に設置され、利用者２０が保持している社員証などの非接触式のＩＤカード３０からスケジュール情報を読み取る非接触式の読取装置１１と、利用者２０の頭部２２に相当する位置（小便器４０の上方の壁面）に設置された表示装置１２と、読取装置１１が読み取ったスケジュール情報に基づいて、表示装置１２にスケジュール情報の表示を行わせる制御部１３などとを備える。【選択図】図１
2007264700.tif 000002
【特許請求の範囲】
【請求項１】
利用者の胸部に相当する位置に設けられ、情報記録媒体から所定の情報を読み取る非接触式の読取部と、
利用者の頭部に相当する位置に設けられた表示部と、
前記読取部が読み取った所定の情報に基づいて、前記表示部に所定の表示を行わせる制御部と、
を備える情報処理装置。
【請求項２】
請求項１に記載の情報処理装置において、
前記各位置は、前記利用者が立った状態又は座った状態での位置であること、
を特徴とする情報処理装置。
【請求項３】
請求項１又は請求項２に記載の情報処理装置において、
前記胸部に相当する位置は、
前記利用者が立った状態では、床からの高さが約１１０〜１４０ｃｍの範囲にあり、
前記利用者が座った状態では、床からの高さが約６０〜９０ｃｍの範囲にあること、
を特徴とする情報処理装置。
【請求項４】
請求項１又は請求項２に記載の情報処理装置において、
前記頭部に相当する位置は、
前記利用者が立った状態では、床からの高さが約１５０〜１７０ｃｍの範囲にあり、
前記利用者が座った状態では、床からの高さが約１００〜１２０ｃｍの範囲にあること、
を特徴とする情報処理装置。
【請求項５】
請求項１から請求項４までのいずれか１項に記載の情報処理装置と、
前記所定の表示の情報を記憶するサーバと、
を備える情報処理システム。
【発明の詳細な説明】
【技術分野】
【０００１】
本発明は、所定の情報を処理する情報処理装置及び情報処理システムに関するものである。
【背景技術】
【０００２】
非接触式のＩＤカードは、読取装置の所定の位置にかざすことで、利用することができる（例えば、特許文献１）。
しかし、読取装置と表示装置とが一体化している場合には、ＩＤカードを読取装置に近づけた状態で表示装置を見る必要があるので、両手が塞がっているときには、このような装置が利用しづらい、という問題があった。
【特許文献１】特開２００３−１３１７７５号公報
【発明の開示】
【発明が解決しようとする課題】
【０００３】
本発明の課題は、両手が塞がっているような場合であっても、利用しやすい情報処理装置及び情報処理システムを提供することである。
【課題を解決するための手段】
【０００４】
本発明は、以下のような解決手段により、前記課題を解決する。なお、理解を容易にするために、本発明の実施例に対応する符号を付して説明するが、これに限定されるものではない。
請求項１の発明は、利用者（２０）の胸部（２１）に相当する位置に設けられ、情報記録媒体（３０）から所定の情報を読み取る非接触式の読取部（１１）と、利用者（２０）の頭部（２２）に相当する位置に設けられた表示部（１２）と、前記読取部（１１）が読み取った所定の情報に基づいて、前記表示部（１２）に所定の表示を行わせる制御部（１３）と、を備える情報処理装置（１０）である。
請求項２の発明は、請求項１に記載の情報処理装置（１０）において、前記各位置は、前記利用者（２０）が立った状態又は座った状態での位置であること、を特徴とする情報処理装置（１０）である。
請求項３の発明は、請求項１又は請求項２に記載の情報処理装置（１０）において、前記胸部（２１）に相当する位置は、前記利用者（２０）が立った状態では、床（Ｆ）からの高さが約１１０〜１４０ｃｍの範囲にあり、前記利用者（２０）が座った状態では、床（Ｆ）からの高さが約６０〜９０ｃｍの範囲にあること、を特徴とする情報処理装置（１０）である。
請求項４の発明は、請求項１又は請求項２に記載の情報処理装置（１０）において、前記頭部（２２）に相当する位置は、前記利用者（２０）が立った状態では、床（Ｆ）からの高さが約１５０〜１７０ｃｍの範囲にあり、前記利用者（２０）が座った状態では、床（Ｆ）からの高さが約１００〜１２０ｃｍの範囲にあること、を特徴とする情報処理装置（１０）である。
請求項５の発明は、請求項１から請求項４までのいずれか１項に記載の情報処理装置（１０）と、前記所定の表示の情報を記憶するサーバ（５０）と、を備える情報処理システム（１００）である。
【発明の効果】
【０００５】
本発明によれば、利用者の胸部に相当する位置に非接触式の読取部を設けたので、利用者が情報記録媒体を胸部付近に保持していれば、両手が塞がっているような場合であっても、読取部が自動的に所定の情報を読み取り、情報処理装置の利用が可能となる。
また、利用者の頭部に相当する位置に表示部を設けたので、表示部が利用者の視線の高さとほぼ一致するようになり、表示部を視認しやすくなる。
【発明を実施するための最良の形態】
【０００６】
本発明は、両手が塞がっているような場合であっても、利用しやすい情報処理装置及び情報処理システムを提供するという目的を、利用者の胸部に相当する位置に読取装置を設置し、利用者の頭部に相当する位置に表示装置を設置することにより実現する。
【実施例１】
【０００７】
以下、図面等を参照して、本発明の実施例について、さらに詳しく説明する。
図１は、本発明による情報処理装置の実施例１を示す図である。
実施例１の情報処理装置１０は、読取装置（読取部）１１と、表示装置（表示部）１２と、制御部１３などとを備える。
【０００８】
読取装置１１は、利用者２０が保持している社員証などの非接触式のＩＤカード（情報記録媒体、ＩＤ装置）３０から、スケジュール情報（所定の情報）を読み取る非接触式のリーダである。
また、読取装置１１は、男性用トイレの小便器４０の上部に設置されている。この設置位置は、利用者２０が立った状態での利用者２０の胸部２１に相当する位置であり、胸部２１に相当する位置は、具体的には、床Ｆからの高さが約１１０〜１４０ｃｍの範囲にある。
【０００９】
表示装置１２は、所定の画像や所定の映像を表示するモニタである。また、表示装置１２は、小便器４０の上方の壁面に設置されている。この設置位置は、利用者２０が立った状態での利用者２０の頭部２２に相当する位置であり、頭部２２に相当する位置は、具体的には、床Ｆからの高さが約１５０〜１７０ｃｍの範囲にある。
制御部１３は、読取装置１１が読み取ったスケジュール情報を、表示装置１２に表示させる部分である。
【００１０】
次に、情報処理装置１０の動作を説明する。
まず、利用者２０は、不図示のリーダライタなどを用いて、本日のスケジュールを自分のＩＤカード３０に記憶させておく。
ついで、利用者２０は、ＩＤカード３０を首からぶら下げておく。
そして、利用者２０が小便器４０に近づくと、読取装置１１は、ＩＤカード３０からスケジュール情報を読み取り、制御部１３は、表示装置１２にスケジュール情報を表示させる。
最後に、利用者２０は、表示装置１２に表示されたスケジュール情報を見て、本日のスケジュールを確認することができる。
【００１１】
このように、実施例１によれば、利用者２０の胸部２１に相当する位置に読取装置１１を設置したので、利用者２０がＩＤカード３０を首からぶら下げておけば、ＩＤカード３０が利用者２０の身体の正面に位置し、読取装置１１が自動的にスケジュール情報を読み取り、本日のスケジュールを簡単に確認することができる。
また、利用者２０の頭部２２に相当する位置に表示装置１２を設置したので、表示装置１２が利用者２０の視線の高さとほぼ一致するようになり、表示装置１２を視認しやすくなる。
【実施例２】
【００１２】
図２は、本発明による情報処理装置及び情報処理システムの実施例２を示す図である。
なお、前述した実施例１と同様な機能を果たす部分には、同一の符号又は末尾に統一した符号を付して、重複する説明や図面を適宜省略する。
実施例２の情報処理システム１００は、情報処理装置１０と、サーバ５０などとを備える。
情報処理装置１０は、実施例１で説明した通りであるが、利用者２０が保持しているＩＤカード３０には、実施例１のようなスケジュール情報ではなく、利用者２０のＩＤ情報（所定の情報、利用者識別番号）が記憶されている。
サーバ５０は、ネットワーク６０を介して情報処理装置１０と接続され、利用者２０のスケジュール情報（所定の表示の情報）を記憶している。
【００１３】
次に、情報処理システム１００の動作を説明する。
まず、利用者２０は、不図示のＰＣ（パーソナルコンピュータ）などからサーバ５０に接続して、月間又は年間のスケジュールを設定しておく。
ついで、利用者２０は、ＩＤカード３０を首からぶら下げておく。
そして、利用者２０が小便器４０に近づくと、読取装置１１は、ＩＤカード３０からＩＤ情報を読み取る。
制御部１３は、サーバ５０に問い合わせ、ＩＤ情報に合致した利用者２０の本日のスケジュール情報を取得し、取得したスケジュール情報を表示装置１２に表示させる。
最後に、利用者２０は、表示装置１２に表示されたスケジュール情報を見て、本日のスケジュールを確認することができる。
【００１４】
このように、実施例２によれば、サーバ５０側でスケジュール情報を管理しているので、大量のデータを取り扱うことができ、長期間のスケジュール設定にも対応できる。
また、サーバ５０側で情報を管理することにより、表示装置１２に表示させる内容を柔軟に変更させることができ、例えば、本人以外の者がスケジュール情報を更新したり、電話があった旨の報告をしたり、緊急会議の招集を行ったりすることができる。
【００１５】
（変形例）
以上説明した実施例に限定されることなく、種々の変形や変更が可能であって、それらも本発明の均等の範囲内である。
（１）上述した各実施例では、小便器４０の例で説明したが、大便器であってもよい。この場合には、読取装置１１及び表示装置１２の設置位置は、利用者２０が大便器に座った状態での胸部２１及び頭部２２に相当する位置となる。具体的には、胸部２１に相当する位置は、床Ｆからの高さが約６０〜９０ｃｍの範囲にあり、頭部２２に相当する位置は、床Ｆからの高さが約１００〜１２０ｃｍの範囲にある。
（２）また、手洗い場の蛇口上部に読取装置１１を設置し、手洗い場の鏡の一部に表示装置１２を設置してもよい。この場合には、読取装置１１及び表示装置１２の設置位置は、立った状態から、前方に多少かがんだ状態での胸部２１及び頭部２２に相当する位置となる。
【００１６】
（３）上述した各実施例では、スケジュール管理の例で説明したが、ＩＤカード３０から読み取った情報を基に、そのＩＤカード３０の持主に合わせた情報を表示するものであれば、これに限定されるものではない。
例えば、健康管理を行う場合には、ＩＤカード３０やサーバ５０に薬剤情報を記憶させておき、トイレに行ったときに、服薬を促すようにする。
また、訪問管理を行う場合には、会社への訪問者に対して、ビジター用のＩＤカードを渡し、トイレに行ったときに、訪問を歓迎する表示を行ったり、会社の宣伝を行ったりする。
さらに、認証管理を行う場合には、社員のデスクに読取装置１１を設置し、ＰＣのディスプレイを表示装置１２とする。このようにすれば、社員が椅子に座ると、首からぶら下げているＩＤカード３０によって、自動的に認証が開始され、認証結果が自動的にディスプレイに表示される。
【００１７】
（４）情報記録媒体は、ＩＤカード３０の例で説明したが、携帯電話機であってもよい。
（５）読取装置１１と表示装置１２とは、一体化されているものであっても、別体となっているものであってもよい。
（６）実施例２では、情報処理装置１０を複数設置してもよい。
【図面の簡単な説明】
【００１８】
【図１】本発明による情報処理装置の実施例１を示す図である。
【図２】本発明による情報処理装置及び情報処理システムの実施例２を示す図である。
【符号の説明】
【００１９】
１０  情報処理装置
１１  読取装置（読取部）
１２  表示装置（表示部）
１３  制御部
２０  利用者
２１  胸部
２２  頭部
３０  ＩＤカード（情報記録媒体）
４０  小便器
５０  サーバ
６０  ネットワーク
１００  情報処理システム
【図１】
2007264700.tif 000003
【図２】
2007264700.tif 000004